(57)【要約】【課題】笠木と見切りとに兼用できるキャップ材及び笠木材を提供する。【解決手段】建築物の立上がり躯体２の上面に固定された笠木ホルダー５に嵌合して設けられるキャップ材３であって、立上がり躯体２の上方を覆う略平板状の天板７と、天板７の下面に立上がり躯体２側面と平行に配設され、笠木ホルダー５に嵌合する２枚の側板８とを備え、２枚の側板８の下部に、両板間が幅狭となる段差を設けることにより、建築物の側方突出躯体の下端縁に設けられる見切りとして兼用することが可能である。【選択図】図３
2006200299.tif 000002
【特許請求の範囲】
【請求項１】
笠木ホルダー及び見切りホルダーに取付可能な笠木兼見切り用キャップ材であって、天板と、その片面側から突出する一対の側板とから構成され、各側板の先端部には、その先端同士の間隔が基端部よりも幅狭となるようクランク状に形成されたホルダー取付部が設けられ、該ホルダー取付部が、前記見切りホルダーの側板と対向して該側板にネジ止め可能とされ、また、ホルダー取付部の高さが前記笠木ホルダーの上下に位置する係止爪間に係合可能に設定されていることを特徴とする笠木兼見切り用キャップ材。
【請求項２】
ホルダー取付部の外側は、見切りとして取り付けた際に、シーリング充填用の凹部とされることを特徴とする請求項１記載の笠木兼見切り用キャップ材。
【請求項３】
前記天板の内縁が、内側の前記側板よりも内側に延設して第１の延設部が形成され、見切りとして躯体に取り付けたときに、該第１の延設部が天上材受面とされることを特徴とする請求項１又は２記載の笠木兼見切り用キャップ材。
【請求項４】
前記天板の外縁が外側に延設して第２の延設部が形成され、笠木として躯体に取り付けたときに、前記第２の延設部の先端が躯体の側面よりも外側に突出することを特徴とする請求項１〜３のいずれかに記載の笠木兼見切り用キャップ材。
【請求項５】
前記天板の上面の外縁側に隆起部が形成されたことを特徴とする請求項１〜４のいずれかに記載の笠木兼見切り用キャップ材。
【請求項６】
請求項１〜５のいずれかに記載のキャップ材と、立上がり躯体の上面に固定され、前記キャップ材を支持する笠木ホルダーとからなる笠木材であって、前記笠木ホルダーは、立上がり躯体上面に固定される底板と、該底板の上面に立設され、前記ホルダー取付部に嵌合する係止爪を有する２枚の支持板と、少なくとも一方の前記支持板の下方の係止爪の先端から側方に延設し、かつ、その先端が下方に折曲して立上がり躯体側面に沿って延びる水切り部とが設けられたことを特徴とする笠木材。
【発明の詳細な説明】
【技術分野】
【０００１】
本発明は、パラペット、手摺り等の建築物の立上がり躯体の上端に設けられる笠木と、バルコニー等の側方突出躯体の下端縁に設けられる見切りとに兼用できるキャップ材及び笠木材に関するものである。
【背景技術】
【０００２】
通常、パラペット、手摺り等の建築物の立上がり躯体の上端部には、保護、雨仕舞、見栄えのために、笠木ホルダーを介して笠木を取り付ける。また、バルコニー等の建築物の側方突出躯体の下端部には、保護、雨仕舞、見栄えのために、見切りが取り付けられる。
【０００３】
このような笠木や見切りは、特許文献１に記載されている。特許文献１には、バルコニー周壁部の下端縁に見切りを設け、上端縁に笠木を設けたバルコニーが記載されている。
【０００４】
【特許文献１】特開平０５−４４２４８号公報（請求項１、図４参照）
【発明の開示】
【発明が解決しようとする課題】
【０００５】
しかしながら、笠木と見切りとは異なる構造であるため、笠木と見切りとをそれぞれ別々に製造し、準備しなければならなかった。したがって、別の金型が必要になるなどコストがかかる。また、笠木と見切りとを区別して取り付けなければならないので、作業効率も低下していた。また、笠木をそのまま見切りとして使用しても、見切り内に雨水等の水分が浸入してしまうので、笠木と見切りを兼用するという思想はなかった。
【０００６】
そこで、本発明は、上記に鑑み、笠木と見切りとに兼用できるキャップ材及び笠木材を提供することを目的とするものである。
【課題を解決するための手段】
【０００７】
上記目的を達成するため、本発明は、笠木ホルダー及び見切りホルダーに取付可能な笠木兼見切り用キャップ材であって、天板と、その片面側から突出する一対の側板とから構成され、各側板の先端部には、その先端同士の間隔が基端部よりも幅狭となるようクランク状に形成されたホルダー取付部が設けられ、該ホルダー取付部が、前記見切りホルダーの側板と対向して該側板にネジ止め可能とされ、また、ホルダー取付部の高さが前記笠木ホルダーの上下に位置する係止爪間に係合可能に設定されていることを特徴とする笠木兼見切り用キャップ材である。
【０００８】
キャップ材が、笠木ホルダー及び見切りホルダーの両方に取付可能な構造をしているので、笠木及び見切りとして兼用することが可能となる。笠木使用時と見切り使用時とではキャップ材を反転させて使用すればよい。
【０００９】
なお、笠木は建築物の立上がり躯体の上端に設けられ、見切りは建築物の側方突出躯体の下端縁に設けられる。建築物の立上がり躯体としては、パラペット、手摺りが例示されるが、これに限定されるものではなく、建築物から隆起した躯体であればよい。また、建築物の側方突出躯体としては、バルコニー、ベランダ、出窓等が例示されるが、これに限定されるものではなく、建築物から側方に突出した躯体であればよい。
【００１０】
また、ホルダー取付部の外側は、見切りとして取り付けた際に、シーリング充填用の凹部とされる。すなわち、キャップ材を見切りとして建築物の側方突出躯体の下端縁に取り付けた際に、クランク形状により幅狭になったホルダー取付部の外側と側方突出躯体の下面とで囲まれた部分に、シーリング充填用の凹部となるスペースができる。シーリング剤はスペースに保持されるため、より高く密封される。そのため、見切り内部に雨水等の水分が浸入するのを防ぐことができる。
【００１１】
天板の内縁が、内側の側板よりも内側に延設して第１の延設部を形成するのが好ましい。キャップ材の天板を下方側にして見切りとして使用した際に、第１の延設部が天井材を載置する天井材受面となる。したがって、バルコニーやベランダ等の天井材を必要とする場所において、天井材を固定する固定具を別に設ける必要がない。
【００１２】
また、天板の外縁外側に延設して第２の延設部を形成し、第２の延設部の先端は笠木として躯体に取り付けたときに、躯体の側面よりも外側に突出させるのが好ましい。第２の延設部により、天板の縁から雨水が垂れ落ちる位置が躯体壁面より遠ざかるので、躯体壁面に雨水がかかりにくくなる。したがって、壁面に雨水の痕等がつきにくくなる。また。この第２の延設部により、建築構造物の表面に陰影ができるため、デザイン性が向上する。
【００１３】
さらに、天板の上面の外縁側に隆起部を形成するのが好ましい。笠木として立上がり躯体設置時において、この隆起部により、雨水が外側に流れ落ちにくくなり、躯体壁面に雨水痕を残しにくくできる。
【００１４】
キャップ材と、立上がり躯体の上面に固定され、キャップ材を支持する笠木ホルダーとからなる笠木材であって、笠木ホルダーは、立上がり躯体上面に固定される底板と、底板の上面に立設され、ホルダー取付部に嵌合する係止爪を有する２枚の支持板と、少なくとも一方の前記支持板の下方の係止爪の先端から側方に延設し、かつ、その先端が下方に折曲して立上がり躯体側面に沿って延びる水切り部とが設けられる。水切り部は、両方の支持板に設けてもよいし、一方の支持板に設けてもよい。立上がり躯体の外からの水を水切りしたい場合は、外側の支持板に水切り部を設けるのが好ましい。支持板の水切り部の先端は、立上がり躯体の上面よりも下方位置まで延長すればよい。水切り部により、立上がり躯体よりも内側に雨水等の水分が浸入しにくく、雨仕舞がよい。
【００１５】
また、キャップ材に水切り部を設けると、キャップ材を見切りとして使用した際に、反転することにより水切り部に水が溜まってしまう。また、水切り部の長さが長くなってしまう。そこで、本願発明のように、笠木ホルダーに水切り部を設ければ、笠木を見切りとして使用しても水が溜まることはないので笠木と見切りとを兼用でき、また、水切り部の長さが短くてすむのでデザイン性が向上する。
【発明の効果】
【００１６】
本発明によると、笠木を見切りとして兼用することができる。したがって、同一の生産ラインで笠木と見切りとを製造できるので、コスト削減につながる。また、笠木及び見切りを使用する建築物の建築作業において、笠木と見切りとを区別して取り付ける必要もないので、作業効率が向上する。
【発明を実施するための最良の形態】
【００１７】
以下、本発明の笠木材を図面に基づいて説明する。図１は本実施形態の笠木兼見切り用キャップ材の側面図、図２は本実施形態の笠木ホルダーの側面図、図３は本実施形態の笠木材と見切りとを設置したパラペット構造の断面図、図４は本実施形態の笠木材の分解斜視図、図５はパラペットのコーナー部に設置した本実施形態の笠木材１の分解斜視図、図６は本実施形態の笠木材１を設置したパラペット構造の斜視図、図７は本実施形態の笠木材１と見切りを設置した建築物の断面図、図８は本実施形態の見切りの分解斜視図、図９は本実施形態の笠木材１をダブルパラペットに設置した状態を示す断面図、図１０は本実施形態の笠木材１をガードウォールに設置した状態を示す断面図、図１１は従来の笠木材１を設置したパラペット構造の斜視図である。
【００１８】
本実施形態の笠木材１は、図１、図３及び図４に示すように、パラペット等の立上がり躯体２の上方を覆うキャップ材３と、隣接するキャップ材３同士を連結する笠木連結プレート４と、立上がり躯体２の上面に固定され、キャップ材３を支持する笠木ホルダー５と、隣接する笠木ホルダー５同士を連結する笠木ホルダー連結プレート６とから構成される。これらのキャップ材３、笠木連結プレート４、笠木ホルダー５及び笠木ホルダー連結プレート６は、限定されるものではないがアルミ製とされ、一体成型される。
【００１９】
キャップ材３は、笠木ホルダー５に嵌合されることにより立上がり躯体２の上方を覆うように設けられる。図１に示すように、キャップ材３は、立上がり躯体２の上方を覆う略平板状の天板７と、天板７の下面側から突出する一対の側板８とから構成される。一対の側板８は、立上がり躯体２側面と平行に配設される。また、側板８は、水平面と垂直方向に垂下されるが、両板間が接近又は離反するように設けてもよい。また、２枚の側板８は湾曲しても構わない。
【００２０】
また、図１に示すように、２枚の側板８は、その先端同士の間隔が基端部１０よりも幅狭となるようクランク状に形成されたホルダー取付部９が形成され、笠木ホルダー５に嵌合する。なお、１対の側板８は、キャップ材３の長手方向に対して対照に形成される。
【００２１】
また、天板７の内縁が内側の側板８ａよりも内側に延設して第１の延設部１１が形成される。キャップ材３を反転させて見切りとして使用した際に、第１の連結部１１が天井材の受面となることができる。
【００２２】
さらにまた、天板７の外縁が外側に延設して第２の延設部１２が形成される。第２の延設部１２は、キャップ材を笠木として立上がり躯体２ａに設けたときに、躯体２ａの壁面よりも外側に突出させる。天板７の外縁より垂れ落ちる水を、立上がり躯体２ａの壁面から遠ざけることができるので、立上がり躯体２ａの壁面に雨水の垂れた痕がつくにくくなる。
【００２３】
さらに、天板７の外縁の上面には、隆起したリブ７ａが形成され、さらに、幅方向における略中間位置において段落ち７ｂしている。このように、天板７の上面を、外側が一番高い階段状とすることにより、天板７上に降る雨水が外側縁から垂れ落ちにくくなる。したがって、立上がり躯体２ａの壁面に雨水の垂れた痕がつきにくくなる。
【００２４】
笠木連結プレート４は、図３及び図４に示すように、基端部１０の内面に沿うように、天板４ａと、先端が内側に折曲した側板４ｂとから構成される。笠木連結プレート４は、隣接するキャップ材３の連結部分に重なるように配置され、キャップ材３に接着又はビス止めにより固定されることにより、隣接するキャップ材３を連結する。
【００２５】
笠木ホルダー５は、立上がり躯体２の上面に固定される。図２に示すように、笠木ホルダー５は、立上がり躯体２上面に固定される底板１３と、底板１３の上面に立設され、キャップ材３の側板８に嵌合する２枚の支持板１４と、外側の支持板１４から外側に延設し、かつ、その先端が下方に折曲した水切り部１５とが設けられる。
【００２６】
支持板１４は、底板１３の上面に立設された平板の上端から側方にマジックハンド状に突出して係止爪１６を形成し、その係止爪１６でキャップ材３の側板８のホルダー取付部９の上端と下端とを挟みこむことにより、キャップ材３と嵌合し固定する。ホルダー取付部９の高さは、係止爪１６間に係合可能とされる。また、２枚の支持板１４は、左右対称に形成される。したがって、笠木ホルダー５の設置方向が限定されない。
【００２７】
水切り部１５は、外側の支持板１４の係止爪１６の下端から、立上がり躯体２の外縁よりも外側に延設し、その先端が下方に折曲して立上がり躯体２側面に沿って延びることにより形成される。水切り部１５の下端は、立上がり躯体２の上端よりも下方位置まで延長される。
【００２８】
また、水切り部１５の下端は、内側にフック状に折れ曲がって折曲部１７を形成する。この折曲部１７から水切り部１５及び係止爪１６の内面に沿って笠木ホルダー連結プレート６が設けられる。すなわち、笠木ホルダー連結プレート６は、立上がり躯体２ａの上面に載置される底板６ａと、底板６ａの外縁から立上がり躯体２ａの側面に沿って下方に折曲した垂下部６と、底板６ａの内縁から立設した立設部６ｃとから構成される。笠木ホルダー連結プレート６は、隣接する笠木ホルダー５の連結部分に重なるように配置され、隣接する笠木ホルダー５を連結する。
【００２９】
図６に示すように、本笠木材１は、キャップ材３ではなく笠木ホルダー５側に水切り部１５を設けているので、水切り部１５の見付け寸法（Ｌ）が短くてすむ。そのため、デザイン性が向上する。図１１に従来のキャップ材３に水切りを設けた場合を示すが、立上がり躯体２の上端よりも下方まで延設するには、見付け寸法が大きくなってしまい、デザイン性が悪い。
【００３０】
以上の構成のような笠木材１の施工方法を説明する。図４に示すように、まず、笠木ホルダー５の折曲部１７から水切り部１５及び係止爪１６の内面に沿った位置に、笠木ホルダー５の端から笠木ホルダー連結プレート６をスライド装着する。この際、隣接する笠木ホルダー５の継ぎ目に笠木ホルダー連結プレート６がくるように配置する。そして、笠木ホルダー５を立上がり躯体２にアンカーで固定する。
【００３１】
次に、キャップ材３の側板８の基端部１０内に、キャップ材３の端から笠木連結プレート４をスライドしてはめ込む。次に、そのキャップ材３の側板８のホルダー取付部９と、笠木ホルダー５の支持板１４の係止爪１６とが嵌合するように、笠木ホルダー５の端からスライドさせて両者を固定する。以上の作業により完了する。なお、隣接するキャップ材３同士の連結位置と、隣接する笠木ホルダー５同士の連結位置とを、立上がり躯体２長手方向に対してずらすのが好ましい。ずらすことにより、水の浸入を防ぐことができる。
【００３２】
また、本キャップ材３は、図３及び図８に示すように、上下を反転させることにより、建築物の側方突出躯体２ｂの下端縁に固定される見切りとしても使用可能である。見切りとして使用する際には、キャップ材３を笠木として使用するときと上下反転させ、ホルダー取付部９内に、別部材である断面コの字状の見切りホルダー１８をはめ込んで、キャップ材３の側板８と見切りホルダー１８の側板とをビス等で固定し、見切りホルダー１８を立上がり躯体２にボルトで固定する。見切りとして使用するには、側板８間に水が侵入するのを防ぐ必要があるが、本キャップ材３は、側板８がクランク形状であるので、ホルダー取付部９の外面と立上がり躯体２下面とで形成される凹部Ｐにシーリングをすることができる。シーリング材が隙間Ｐに納まり、接着面が大きくなるので、密封性が高まり、水が侵入するのを防ぐことができる。
【００３３】
また、図７に示すように、バルコニーの天井に天井材１９を設ける際には、従来は天井材１９の外側端を別部材で固定しなければならなかったが、本キャップ材３は、第１の延設部１１を有しているため、第１の延設部１１が天井材受面となって、天井材１９の一端を載置することができ、作業の手間が省ける。
【００３４】
なお、上記実施形態においては、キャップ材３を立上がり躯体２としてパラペットに設けた場合を説明したが、その他、ダブルパラペット、手摺り等の建築物を構成する立上がり躯体２に設けてもよい。図９に、笠木材１をダブルパラペットに使用した状態を示す。
【００３５】
また、キャップ材３、笠木ホルダー５、笠木連結プレート４及び笠木ホルダー連結プレート６はすべて平面視長方形に形成されたが、立上がり躯体２のコーナー部分においては、図５に示すように、一端側を斜めにカットするなどして変形させてもよいし、コーナー形状に合う形状に形成してもよい。
【００３６】
また、笠木ホルダー５は、水切り部１５側を外側に配置したが、図１０に示すように、逆に内側に配置するようにしてもよい。図１０は、ガードウォールに使用した場合を示している。詳しくは、笠木ホルダー５の設置向きを内外逆にする以外は、上記実施形態と同様に笠木材１を立上がり躯体２の上面に設置し、立上がり躯体２の側面に沿って平板状のボード２０を折曲部１７に固定する。
【図面の簡単な説明】
【００３７】
【図１】本実施形態の笠木の側面図
【図２】本実施形態の笠木ホルダーの側面図
【図３】本実施形態の笠木材と見切りとを設置したパラペット構造の断面図
【図４】本実施形態の笠木材の分解斜視図
【図５】パラペットのコーナー部に設置した本実施形態の笠木材の分解斜視図
【図６】本実施形態の笠木材を設置したパラペット構造の斜視図
【図７】本実施形態の笠木材と見切りを設置した建築物の断面図
【図８】本実施形態の見切りの分解斜視図
【図９】本実施形態の笠木材をダブルパラペットに設置した状態を示す断面図
【図１０】本実施形態の笠木材をガードウォールに設置した状態を示す断面図
【図１１】従来の笠木材を設置したパラペット構造の斜視図
【符号の説明】
【００３８】
１    笠木材
２ａ  立上がり躯体
２ｂ  側方突出躯体
３    笠木
４    笠木連結プレート
５    笠木ホルダー
６    笠木ホルダー連結プレート
７    天板
８    側板
９    ホルダー取付部
１０  基端部
１１  第１の延設部
１２  第２の延設部
１３  底板
１４  支持板
１５  水切り部
１６  係止爪
１７  折曲部
【図１】
2006200299.tif 000003
【図２】
2006200299.tif 000004
【図３】
2006200299.tif 000005
【図４】
2006200299.tif 000006
【図５】
2006200299.tif 000007
【図６】
2006200299.tif 000008
【図７】
2006200299.tif 000009
【図８】
2006200299.tif 000010
【図９】
2006200299.tif 000011
【図１０】
2006200299.tif 000012
【図１１】
2006200299.tif 000013